(57)【要約】【課題】ネジ切り等のコスト高な加工を行う必要がなく而も拡径部同士を突合わせたところへ容易に装着できる鉄筋用継手部材および鉄筋の接続方法を実現する。【解決手段】拡径部付き鉄筋１０の拡径部１２同士を突合わせて接続する鉄筋用継手部材２０，３０を、その拡径部１２同士およびそれに連なる鉄筋部分１１を囲う筒状体を縦に２分割したうち一のものの形状を有する半筒状部２１，３１と、その直線状の２辺２４，３４の近傍から外周側へ突き出ておりボルト挿通孔２６，３６が形成されている外向きフランジ２５，３５とで構成する。外向きフランジ２５，３５を２個設け、それらの突出方向の成す角度θを９０゜にする。【選択図】        図１
2007077590.tif 000002
【特許請求の範囲】
【請求項１】
被接続鉄筋となる２本の鉄筋の夫々の被接続端に拡径部を設けておき、該２本の鉄筋を夫々の拡径部がその各端面同士を向き合わせた配位で対を成す拡径部対を形成する形に連ねた上で、該拡径部対を、両端に内向きカラーの付いた筒状体が縦割り２分割された形態を有し該拡径部対に外嵌できる寸法・形状に仕立てられた、両端に内向きカラーの付いた半筒状部のペアを躯幹部とするペア編成の継手部材の相互結合体で囲って拘束することにより、前記２本の鉄筋を連結することを特徴とする鉄筋の接続方法。
【請求項２】
前記拡径部の外径寸法を、鉄筋母材に対する拡径倍率が１．２〜１．５の範囲にあり且つ鉄筋母材からの片肉膨出高さが８ｍｍ以下に抑えられた寸法とすることを特徴とする、請求項１記載の鉄筋の接続方法。
【請求項３】
前記継手部材を構成する前記半筒状部における前記両端の内向きカラー相互間の内法間隔を前記拡径部の軸線方向寸法を２倍にした寸法にマージンを加えた寸法に設定しておき、該マージンによって生じるガタは１枚または複数枚のスペーサを介挿することで消去する構成とした上で、該スペーサの前記継手部材軸線方向の介挿位置・介挿厚さの編成を調整することにより、前記２本の被接続鉄筋の接続後の長さを調整することを特徴とする、請求項１又は２に記載の鉄筋の接続方法。
【請求項４】
請求項１乃至３の何れか１項に記載された鉄筋の接続方法に用いる鉄筋用継手部材であって、前記ペアの半筒状部の各体における前記筒状体の縦割りの割り目に相当する直線状の各体内２辺のそれぞれに、該半筒状部の各体を相互結合する足掛りとなる嘴状の外向きフランジが設けられていることを特徴とする鉄筋用継手部材。
【請求項５】
前記外向きフランジは、前記相互結合によって２個所に形成される外向きフランジ結合部の夾角が９０゜以下になるように各外向きフランジの方位編成が設定されていることを特徴とする、請求項４記載の鉄筋用継手部材。
【請求項６】
請求項１乃至３の何れか１項に記載された鉄筋の接続方法に用いる鉄筋用継手部材であって、前記ペアの半筒状部の各体における前記筒状体の縦割りの割り目に相当する直線状の各体内２辺のうちの１辺には該半筒状部の各体を相互結合する足掛りとなる嘴状の外向きフランジが設けられており、該直線状の各体内２辺のうちの残りの１辺には該半筒状部各体同士をそれらの周方向に関して相互に繋ぎ止めることのできる鉤手構造が設けられていることを特徴とする鉄筋用継手部材。
【請求項７】
前記残りの１辺に設けられている鉤手構造は、その鉤手の向き勝手が該１辺の一端側では前記半筒状部の外周面側を根元とした内向きであり他端側では該半筒状部の内周面側を根元とした外向きであって、単一仕様の部材の２体で前記相互結合体を構成できる構造となっていることを特徴とする、請求項６記載の鉄筋用継手部材。
【請求項８】
前記外向きフランジにはボルト挿通孔が設けられている、ことを特徴とする請求項４乃至７の何れか１項に記載された鉄筋用継手部材。
【請求項９】
前記外向きフランジは、その張出し方向と直交する断面の形状が、前記ペアの半筒状部の各体を前記相互結合のために向き合わせたときに形成されるペアの該フランジの会合部にリング状部材を外嵌して該会合部を結束することのできる形状となっている、ことを特徴とする請求項４乃至７の何れか１項に記載された鉄筋用継手部材。
【発明の詳細な説明】
【技術分野】
【０００１】
この発明は、鉄筋を接続するための技術に関し、詳しくは、鉄筋の端部に拡径部を設け、この拡径部同士を突合わせた状態に拘束して連結する鉄筋の接続方法ならびにこれに用いる継手部材に関する。
【背景技術】
【０００２】
鉄筋をコンクリートや他の鉄筋に定着させるため定着部を設けた鉄筋として、鉄筋の端部に拡径部を形成し、この拡径部を定着部とする拡径端部付き鉄筋が、本出願人等により開発提供されており（特許文献１参照）、鉄筋コンクリートの施工に貢献している。この拡径部は、誘導加熱を利用した熱間据込加工によって、鉄筋母材の端部を拡径して形成されており、型規制の併用により高い寸法精度で各種形状のものがライン生産されている。定着部として機能させる上記拡径部の典型的な形状は、外径が鉄筋径の２〜５倍で厚さが鉄筋径の０．５〜２倍の円板状であるが、規制型具を変更することで、その他の形状も容易に形成することができる。
【０００３】
このような定着用拡径部付き鉄筋を接続して長くする場合、従来は、拡径部の付いていない方の端部を突き合わせておいて、そこを圧接や溶接にて接続していた。その他、鉄筋端部を板状に加工して重ねてからネジ止めする接続手法や、ネジ切りしたスリーブを用いる接続手法、スリーブ継手に充填材を充填する接続手法などが、用いられている。定着用拡径部を設けていない鉄筋同士の接続も、同様に行われている。
【０００４】
【特許文献１】特開２０００−２５７２０９号公報  （第１頁）
【発明の開示】
【発明が解決しようとする課題】
【０００５】
しかしながら、このような従来の接続手法には、（１）鉄筋端部の加工後の強度、（２）鉄筋端部の加工コスト、（３）継手部材の製造コスト、（４）接続作業所要設備、（５）接続作業所要時間、といった懸案の何れかに関わる難点が少なくとも一つ存在する。
本発明は、上記諸懸案を総じて満足する鉄筋接続技術の提供を課題としてなされたものである。
【課題を解決するための手段】
【０００６】
本発明の鉄筋の接続方法（請求項１）は、被接続鉄筋となる２本の鉄筋の夫々の被接続端に拡径部を設けておき、該２本の鉄筋を夫々の拡径部がその各端面同士を向き合わせた配位で対を成す拡径部対を形成する形に連ねた上で、該拡径部対を、両端に内向きカラーの付いた筒状体が縦割り２分割された形態を有し該拡径部対に外嵌できる寸法・形状に仕立てられた、両端に内向きカラーの付いた半筒状部のペアを躯幹部とするペア編成の継手部材の相互結合体で囲って拘束することにより、前記２本の鉄筋を連結することを特徴とする。
【０００７】
また、本発明の鉄筋の接続方法（請求項２）は、上記請求項１記載の鉄筋の接続方法であって更に、前記拡径部の外径寸法を、鉄筋母材に対する拡径倍率が１．２〜１．５の範囲にあり且つ鉄筋母材からの片肉膨出高さが８ｍｍ以下に抑えられた寸法とすることを特徴とする。
【０００８】
さらに、本発明の鉄筋の接続方法（請求項３）は、上記請求項１，２記載の鉄筋の接続方法であって更に、前記継手部材を構成する前記半筒状部における前記両端の内向きカラー相互間の内法間隔を前記拡径部の軸線方向寸法を２倍にした寸法にマージンを加えた寸法に設定しておき、該マージンによって生じるガタは１枚または複数枚のスペーサを介挿することで消去する構成とした上で、該スペーサの前記継手部材軸線方向の介挿位置・介挿厚さの編成を調整することにより、前記２本の被接続鉄筋の接続後の長さを調整することを特徴とする。
【０００９】
また、本発明の鉄筋用継手部材（請求項４）は、上記請求項１〜３記載の鉄筋の接続方法に用いる前記継手部材であって、前記ペアの半筒状部の各体における前記筒状体の縦割りの割り目に相当する直線状の各体内２辺のそれぞれに、該半筒状部の各体を相互結合する足掛りとなる嘴状の外向きフランジが設けられていることを特徴とする。
【００１０】
また、本発明の鉄筋用継手部材（請求項５）は、上記請求項４記載の鉄筋用継手部材であって更に、前記外向きフランジは、前記相互結合によって２個所に形成される外向きフランジ結合部の夾角が９０゜以下になるように各外向きフランジの方位編成が設定されていることを特徴とする。
【００１１】
また、本発明の鉄筋用継手部材（請求項６）は、上記請求項１〜３記載の鉄筋の接続方法に用いる前記継手部材であって、前記ペアの半筒状部の各体における前記筒状体の縦割りの割り目に相当する直線状の各体内２辺のうちの１辺には該半筒状部の各体を相互結合する足掛りとなる嘴状の外向きフランジが設けられており、該直線状の各体内２辺のうちの残りの１辺には該半筒状部各体同士をそれらの周方向に関して相互に繋ぎ止めることのできる鉤手構造が設けられていることを特徴とする。
【００１２】
また、本発明の鉄筋用継手部材（請求項７）は、上記請求項６記載の鉄筋用継手部材であって更に、前記残りの１辺に設けられている鉤手構造は、その鉤手の向き勝手が該１辺の一端側では前記半筒状部の外周面側を根元とした内向きであり他端側では該半筒状部の内周面側を根元とした外向きであって、単一仕様の部材の２体で前記相互結合体を構成できる構造となっていることを特徴とする。
【００１３】
また、本発明の鉄筋用継手部材（請求項８）は、上記請求項４〜７記載の鉄筋用継手部材であって更に、前記外向きフランジにはボルト挿通孔が設けられている、ことを特徴とする。
【００１４】
また、本発明の鉄筋用継手部材（請求項９）は、上記請求項４〜７記載の鉄筋用継手部材であって更に、前記外向きフランジは、その張出し方向と直交する断面の形状が、前記ペアの半筒状部の各体を前記相互結合のために向き合わせたときに形成されるペアの該フランジの会合部にリング状部材を外嵌して該会合部を結束することのできる形状となっている、ことを特徴とする。
【発明の効果】
【００１５】
上記本発明の鉄筋の接続方法（請求項１）によれば、（Ａ）接続に供される鉄筋の端部に拡径部を設けておく予備加工と、（Ｂ）上記拡径部同士が連なった状態の拡径部対を外嵌拘束することのできるペア編成（セグメント合体式）の継手部材の用意と、（Ｃ）鉄筋接続現場における、鉄筋を連ねて拡径部対を形成する操作と上記継手部材の２体のセグメントを拡径部対に外嵌させ且つ筒状体を形成する形に合体させたのち相互結合状態に固定する継手部材装着作業と、によって鉄筋の接続が完結する。
【００１６】
ここで、上記（Ａ）の鉄筋端部を拡径させる予備加工は、前述の鉄筋端部に定着用の拡径部を設けるのと同様の熱間据込み加工によって行えるので、前記定着部形成用の加工ラインの利用が適う。しかも、後述するように、本発明方法のための拡径部は、その拡径倍率が定着用拡径部よりも大幅に小さいから、加工コストも定着用拡径部より安くなる。
次いで、（Ｂ）の継手部材は、これを構成する躯幹部（半筒状部）の形状が単純であって、セグメントを相互に結合するための、外向きフランジや鉤手といった付帯構造が加わってもなお、複数同時鋳造などによる量産が容易であり、これの調達にも大きなコストを要しない。
【００１７】
また、（Ｃ）の継手部材装着作業は、外向きフランジ同士のボルトナット締結やリング外嵌結束、あるいは鉤手同士の鉤合手作業を１継手当り合計で２操作か４操作程度行えば済む内容のものなので、レンチなどの汎用工具があれば事足りる。すなわち、入手に手間どる専用工具や大がかりな専用設備とは無縁であり、作業所要時間も１０分程度と短い。
即ち、本発明接続方法（請求項１）によれば、従来の接続方法における前記諸懸案のうち（２）〜（５）が一挙に解決される。加えて、本発明接続方法（請求項１）では被接続鉄筋の端部に拡径部が設けられているので、前記の鉄筋端部強度に関する懸案（１）も同時に解決される。
【００１８】
次に、本発明の鉄筋の接続方法（請求項２）によれば、前記接続方法（請求項１）において拡径部の外径寸法を上限規制することにより、拡径部に装着される継手部材の軸線方向強度を支配する薄肉部の所要肉厚を確保する処置と、該継手部材の装着された鉄筋接続部の被接続鉄筋からの片肉膨出高さを被接続鉄筋に添設配筋されるアバラ筋（帯状筋）の常用鉄筋径（１３ｍｍ又は１６ｍｍ）と同等以下に抑えて継手部材の装着によるコンクリート所要かぶり厚さの増大が新たに生じないようにして接続に係る派生的なコスト増を避ける処置とが両立的に可能となる。この点については後述する（第６形態参照）。なお、この接続方法（請求項２）における拡径倍率の下限規制は、継手部材による拡径部対拘束機能（係止機能）を鉄筋径に応じて確保するためである。因みに、上記規制範囲に該当する拡径倍率１．２〜１．５の拡径部は、鉄筋端部に熱間据込み加工を施すなどして容易に形成することができる。
【００１９】
さらに、本発明の鉄筋の接続方法（請求項３）によれば、前記接続方法（請求項１，請求項２）において、前記継手部材を構成する前記半筒状部の両端に設けた内向きカラーの内法寸法すなわち拡径部対が収容されるふところ部分の軸線方向寸法にマージンを設けておき該マージンによるガタを調整された位置・厚さ編成でのスペーサ介挿によって消去するようにしたことにより、被接続鉄筋の長さばらつきを補償するための被接続鉄筋の接続後長さの調整が可能となる（第５形態参照）。
【００２０】
また、本発明の鉄筋用継手部材（請求項４）にあっては、２本の鉄筋を直列に接続しようとするとき、両鉄筋の端部の拡径部の端面同士を向き合わせて配置して拡径部対を形成しておき、そこにペア編成の鉄筋用継手部材を装着する。その際、それらの半筒状部を向い合わせにした筒状体化配位で上記拡径部に外嵌包囲し、それからボルト挿通孔にボルトを通して、向い合わせになっている外向きフランジ同士を締結固定し、或いは向かい合わせになっている外向きフランジをリング状部材を外嵌して結束固定する。そうすると、組上がった筒状体に囲われて両鉄筋の拡径部が離れなくなるので、２本の鉄筋が相互に連結される。
【００２１】
このように鉄筋端部の拡径部にペア編成の鉄筋用継手部材を被せてその外向きフランジ同士をボルト締めするなどして鉄筋の接続が行えるようにしたことにより、圧接や溶接のような設備や熟練を要する作業は行う必要がなく、費用を掛けて鉄筋端部を板状に加工したうえで鉄筋同士を直に締結するといった面倒な作業も行う必要がなく、内周にネジ切りしたスリーブのような高価な部材も必要なく、スリーブ継手への充填といった煩雑な作業も行う必要がなく、製造の容易な形状をした部材や市販品で足りるボルトなどの安価な部材や，レンチ，プライヤー，ハンマーなどの汎用工具を用いて手軽に鉄筋を接続することができる。
したがって、この発明によれば、安価で施工能率も良い鉄筋用継手部材を実現することができる。
【００２２】
また、本発明の鉄筋用継手部材（請求項５）にあっては、前記相互結合によって２個所に形成される外向きフランジ結合部の夾角が９０゜以下になっているので、角柱や梁の鉄筋構造体に多用される四辺形状の配置においても、外向きフランジを内向きにするか辺上におくことにより、外向きフランジが四辺形状配置の外側へ出るのを容易に回避することができる。そのため、外向きフランジが２個あっても、そのことに起因して鉄筋構造体の外周側のコンクリートかぶり量を増やすといった必要はなく、配筋は従来と同じで良い。
したがって、この発明によれば、安価で施工能率が良く配筋も容易な鉄筋用継手部材を実現することができる。
【００２３】
さらに、本発明の鉄筋用継手部材（請求項６）にあっては、半筒状部の各体における２個所の被結合辺の一方はフランジ形式で結合し、他方は鉤手形式で結合する構造としたことにより、外向きフランジが１個所になっているので、装着時におけるボルト締結作業等の手間が半減するうえ、鉄筋用継手部材の外向きフランジを鉄筋構造体に組み込む際には該フランジが鉄筋構造体の内側を向いているようにすることが容易かつ確実に行えることとなる。
したがって、この発明によれば、安価で施工能率が良く配筋も容易な鉄筋用継手部材を実現することができる。
【００２４】
また、本発明の鉄筋用継手部材（請求項７）にあっては、鉤手部を半筒状部各体内に内向き勝手の鉤手と外向き勝手の鉤手とが組みになって設けられている構造としたことにより、同じ形状のもう一つの鉄筋用継手部材を反転させて向い合わせにすると、互いの鉤手部が噛み合って係合する。そのため、向い合わせになるペア編成の部材を同一形状のもので済ますことができるので、そうすることにより部品の種類が減り、装着作業ばかりか在庫管理等まで容易になる。
したがって、この発明によれば、安価で施工能率が良く配筋も容易な鉄筋用継手部材を少ない部品点数で実現することができる。
【発明を実施するための最良の形態】
【００２５】
本発明の鉄筋用継手部材の一実施形態（第１形態）について、その構成を、図面を引用して説明する。図１は、（ａ）がペア編成をなすもののうち一方の継手部材２０の斜視図、（ｂ）が他方の継手部材３０の斜視図、（ｃ）が継手部材２０，３０を向い合わせにしたところの端面図、（ｄ）が２本の被接続鉄筋１０の拡径部対１２，１２に継手部材２０，３０を外嵌して相互結合体にした接続状態の端面図、（ｅ）がその接続状態の側面図である。
【００２６】
鉄筋用継手部材２０は（図１（ａ）参照）、ペア編成の片割れ（セグメント）をなし、１個の半筒状部２１（継手部材の躯幹部、セグメントの躯幹部）と２個の外向きフランジ２５との一体物であり、例えば「ＪＩＳ  Ｇ５５０２  ＦＣＤ４５０−１０」を素材として鋳造され、安価に量産される。半筒状部２１は、両端に内向きカラーの付いた筒状体（即ち、袋状の筒状体）を縦割り２分割したうちの一つとほぼ同じ形態を有し、元の筒状体の中空部に相当する側（以下、「内周側」という）の軸線方向の両端部は内向きカラー２２を含む厚肉部となっていて、半筒状部２１の相互結合後は拡径部対１２，１２を係止する小径中空部（即ち内鍔部）を形成し、それらに挟まれた中間部分は薄肉部２３となっていて、半筒状部２１の相互結合後は拡径部対１２，１２の収容スペースとなる大径中空部（即ちふところ部）を形成する。
【００２７】
２本の鉄筋１０の拡径部対１２，１２に外嵌できるよう、内向きカラー２２の内径は鉄筋１０の首部１１の外径より少し大きく、薄肉部２３の内径は鉄筋１０の拡径部１２の外径より少し大きい。薄肉部２３の幅＝軸線方向寸法（すなわち半筒状部２１における両端の内向きカラー２２，２２相互間の内法間隔）は拡径部１２の２個分の厚さに対応しており（図１（ｅ）参照）、内向きカラー２２から薄肉部２３への遷移部が数゜〜十数゜程度の傾斜壁に形成されていて、内向きカラー２２の頂部側における薄肉部２３の幅は拡径部１２の２個分の厚さよりも広いが、内向きカラー２２の麓側における薄肉部２３の幅は拡径部１２の２個分の厚さと同じかほんの僅かだけ狭くなっている。
【００２８】
外向きフランジ２５は（図１（ａ）参照）、２個設けられ、半筒状部２１における２個所の直線状の各体内２辺２４のそれぞれに１個ずつ立設されている。何れの外向きフランジ２５も、半筒状部２１が直線状の２辺２４を境として折れ曲がった方位へ延長された形で半筒状部２１の外周側（前記内周側の裏側）へ突き出て嘴状になっており、その厚さ方向に貫通させてボルト挿通孔２６が穿孔形成されている。この継手部材２０では（図１（ｃ）参照）、２個の外向きフランジ２５の夫々が半筒状部２１の半径方向よりも鋭く折れ曲った方位に延びていて両フランジの突出方向に係る夾角が半筒状部２１の外周側に向いた形となっており、その角度θがほぼ９０゜（直角）になっている。
【００２９】
鉄筋用継手部材３０も（図１（ｂ）参照）、基本的には上述した継手部材２０と同様のものであり、同様の半筒状部３１と内向きカラー３２を含む厚肉部と薄肉部３３と直線状の２辺３４に設けられた外向きフランジ３５とボルト挿通孔３６とを具えているが、この継手部材３０では（図１（ｃ）参照）、２個の外向きフランジ３５の夫々が半筒状部３１の半径方向よりも鈍く折れ曲がった方位に延びていて、両フランジの突出方向に係る夾角θが、継手部材２０とは逆に半筒状部３１の内周側に向いた形となっており、その角度θがほぼ９０゜になっている。そのため、継手部材２０と継手部材３０を向い合わせにしたとき、半筒状部２１と半筒状部３１とによって両端に内向きカラーの付いた筒状体が形作られるとともに、両継手部材の外向きフランジ２５と外向きフランジ３５がぴったり重なり合ってボルト挿通孔２６とボルト挿通孔３６とが直線状に連なるようになっている。
【００３０】
なお、これらの継手部材２０，３０の何れか一方の外向きフランジの、相互結合時に外側に来る面に、ボルトの頭部が空回りするのを防止するための回止溝３７を形成してもよい。
また、半筒状部３１の外径と内径との差（＝内向きカラーを含む厚肉部の厚さ）、これは鉄筋１０の外周面位置と半筒状部３１の外周面位置との差Ｘとほぼ等しいが（図１（ｄ）参照）、これが鉄筋構造体のアバラ筋に多用される鉄筋の直径１３〜１６ｍｍと同等以下の寸法に留まるように上記厚肉部の厚さが設定されている。因みに、外向きフランジ３５は、外向きフランジ２５もそうであるが、ボルト装着スペースを確保する必要もあってアバラ筋の径よりも大きく突き出ている。
【００３１】
この実施形態（第１形態）の鉄筋用継手部材２０，３０について、単一接続箇所への使用態様を、図面を引用して説明する。図１は、（ｄ）が拡径部対１２，１２に装着した状態の端面図、（ｅ）がその状態の側面図である。
【００３２】
ここでは、首部１１直径３２ｍｍの鉄筋１０であって端部に直径４０ｍｍ厚さ１５．５ｍｍの拡径部１２の形成されているもの同士を直列に接続するものとし、それに適合したサイズを持った一対（ペア編成）の継手部材２０，３０を製造して又は在庫から選定して用意する（前記Ｂ：継手部材の用意）。外向きフランジ２５，３５を締結するためのボルト７１とナット７２も用意するが、これは市販品で足りる。
【００３３】
この場合、先ず（前記Ａ：予備加工）、被接続鉄筋となる２本の鉄筋１０の夫々の被接続端に拡径部１２を設けておく。拡径部１２の形成は、例えば誘導加熱を利用した熱間据込加工によって容易に行える（特許文献１参照）。
拡径部１２が付いたら、２本の鉄筋１０は長手方向に連ねて、それらの端部の拡径部１２同士を突合わせておく。すなわち、２本の鉄筋１０を夫々の拡径部１２がその各端面同士を向き合わせた配位で対を成す拡径部対１２，１２を形成する形に連ねておく。
【００３４】
次に、上述の如くペア編成の継手部材２０，３０の半筒状部２１，３１は、これらを筒状に組立てたときに拡径部対１２，１２に外嵌できる寸法・形状に仕立てられているので（前記Ｂ：継手部材の用意）、上記拡径部対１２，１２をこの半筒状部２１，３１のペアを躯幹部とするペア編成の継手部材２０，３０の相互結合体で囲って拘束する（前記Ｃ：継手部材装着作業）。
この継手部材装着作業を詳述すると、２本の鉄筋１０の拡径部１２，１２の突合わせ部位に対し、そこに継手部材２０と継手部材３０とを向かい合わせにしながら拡径部１２，１２に被せるようにして装着する。
【００３５】
そうすると、向い合わせになった半筒状部２１，３１が拡径部１２，１２及び首部（首の部分）１１，１１を囲って筒状に配置された状態となるので、その状態を保ちながら、直線状に連なったボルト挿通孔２６，３６にボルト７１のネジ部を挿通させる。
それから、それにナット７２を螺合させて適度なトルクで締め込むと、やはり向い合わせになっている外向きフランジ２５，３５同士が締結固定されるとともに、拡径部対１２，１２も当接状態で固定される。
こうして、容易かつ確実に、２本の鉄筋１０，１０が固定的に連結された態様で接続される。
【００３６】
この実施形態（第１形態）の鉄筋用継手部材２０，３０について、鉄筋構造体への使用態様を、図面を引用して説明する。図２は、（ａ）が鉄筋構造体の斜視図、（ｂ）が接続状態の端面図である。
【００３７】
鉄筋コンクリート製の角柱や梁に埋設される鉄筋構造体においては、主筋である鉄筋１０が四辺形状に配置されており、長さが足りないときには長手方向に継ぎ足されるが、鉄筋１０が接続対象端部に拡径部１２の付いたものの場合（図２（ａ）参照）、それぞれの鉄筋１０が、拡径部１２同士を付き合わせて拡径部対１２，１２とした状態で、ペア編成の継手部材２０，３０により固定接続される。その際（図２（ｂ）参照）、鉄筋１０の四辺形状配置を基準にしてみたとき、継手部材３０が外側に位置し継手部材２０が内側に来るようにする。
【００３８】
そうすると、外向きフランジ２５，３５は、四辺形状の辺上か内側に収まり、四辺形状の外には突き出さない。そのため鉄筋１０の外周側に張出すのは継手部材３０の半筒状部３１だけになるが、その張出量すなわち片肉膨出高さは（図１（ｄ）のＸを参照）、上述したようにアバラ筋１３の直径を超えないようになっているので、鉄筋構造体の外周側のコンクリートかぶり量を増やす必要が無い。
【００３９】
本発明の鉄筋用継手部材の他の実施形態（第２形態）について、その構成を、図面を引用して説明する。図３は、（ａ）がペア編成の継手部材４０，５０を向い合わせたところの側面図、（ｂ）が平面図、（ｃ）が底面図・端面図である。
【００４０】
鉄筋用継手部材４０も、上述した継手部材２０の半筒状部２１と内向きカラー２２と薄肉部２３と直線状の２辺２４と外向きフランジ２５とボルト挿通孔２６とにそれぞれ対応する同様の半筒状部４１と内向きカラー４２と薄肉部４３と直線状の２辺４４と外向きフランジ４５とボルト挿通孔４６とを具えたものであるが、外向きフランジ４５が半筒状部４１における２個所の直線状の２辺４４のうち一方にだけ設けられ且つ半筒状部４１の半径方向に延びており、直線状の２辺４４のうち他方にはその両端部に振分けられた形で２つの鉤手４７が形成されている。この鉤手４７は、その向き勝手が半筒状部４１の外周面側を根元として内周側に突き出た内向き勝手となっている。因に、この内向き鉤手４７は、半筒状部４１の肉厚増を要せずに延いては外径増を伴わずに形成できている。
【００４１】
鉄筋用継手部材５０も、上述した継手部材３０の半筒状部３１と内向きカラー３２と薄肉部３３と直線状の２辺３４と外向きフランジ３５とボルト挿通孔３６とにそれぞれ対応する同様の半筒状部５１と内向きカラー５２と薄肉部５３と直線状の２辺５４と外向きフランジ５５とボルト挿通孔５６とを具えたものであるが、継手部材４０と同様外向きフランジ５５が半筒状部５１における２個所の直線状の２辺５４のうち一方にだけ設けられ且つ半筒状部５１の半径方向に延びており、直線状の２辺５４の他方にはその両端部に振分けられた形で鉤手５８が形成されている。この鉤手５８は、その向き勝手が鉤手４７との係合のため半筒状部５１の内周面側を根元として外周面側に突き出た外向き勝手となっている。この鉤手５８も半筒状部５１の外径増を伴わずに形成できている。
【００４２】
この実施形態（第２形態）の鉄筋用継手部材４０，５０について、その使用態様を、図面を引用して説明する。図３は、（ｄ）が拡径部への装着開始時の端面図、（ｅ）が装着途中の端面図、（ｆ）が装着完了状態の端面図である。また、図４は、鉄筋構造体における多数使用態様の端面図である。
【００４３】
継手部材４０，５０で単一箇所を接続する場合、２本の鉄筋１０の拡径部１２，１２同士を突合わせた部位に対して装着するに際して（図３（ｄ）参照）、そこに継手部材５０を被せてから、外向き鉤手５８に内向き鉤手４７を引っ掛けて係合させ、その係合を維持しながら継手部材４０も拡径部１２，１２に被せる。そうすると（図３（ｅ）参照）、鉤手４７，５８が半筒状部４１，５１の周方向に関して相互に繋ぎ止めることができるようになっているため、向い合わせになった半筒状部４１，５１が拡径部１２，１２及び首部１１，１１を囲いながら筒状になるので、その状態を保ちながら、直線状に連なったボルト挿通孔４６，５６にボルト７１のネジ部を挿通させる。
【００４４】
それから、それにナット７２を螺合させて適度なトルクで締め込むと、やはり向い合わせになっている外向きフランジ４５，５５同士が締結固定されるとともに、拡径部１２，１２も当接状態で固定される。継手部材４０，５０の場合は、外向きフランジ４５，５５が１組しかないので、ボルト７１及びナット７２も１組で足り、その締結作業も１回で済む。
こうして、この場合、より容易かつ確実に、２本の鉄筋１０，１０が拡径部１２，１２を利用して固定的に連結された態様で接続される。
【００４５】
また、継手部材４０，５０で四辺形状の鉄筋構造体に係る鉄筋接続を行う場合（図４参照）、鉄筋１０の四辺形状配置を基準にしてみたとき、内向き鉤手４７と外向き鉤手５８の結合部が外側に位置し外向きフランジ４５，５５の結合部が内側に来るようにする。
そうすると、この場合も、継手部材４０，継手部材５０の張出量（片肉膨出高さ）がアバラ筋の直径を超えないか同程度に収まるので、鉄筋構造体の外周側のコンクリートかぶり量を増やす必要が無い。
【００４６】
本発明の鉄筋用継手部材の他の実施形態（第３形態）について、その構成を、図面を引用して説明する。図５は、（ａ）が内側の斜視図、（ｂ）が外側の斜視図である。
【００４７】
鉄筋用継手部材６０も（図５（ａ）参照）、上述した継手部材４０の半筒状部４１と内向きカラー４２と薄肉部４３と直線状の２辺４４と外向きフランジ４５とボルト挿通孔４６とにそれぞれ対応する同様の半筒状部６１と内向きカラー６２と薄肉部６３と直線状の２辺６４と外向きフランジ６５とボルト挿通孔６６とを具えたものであり、外向きフランジ６５も半筒状部６１における２個所の直線状の２辺６４のうち一方（直線状の各体内２辺のうちの１辺）にだけ設けられており、直線状の２辺６４のうち他方（該半筒状部各体内の残りの１辺）については、この例でも２つの鉤手が設けられている。
【００４８】
但し、継手部材４０と異なり、その２つの鉤手が内向き勝手の鉤手６７と外向き勝手の鉤手６８とに作り分けられている。即ち、直線状辺６４の一端側には内向き鉤手６７が形成され、他端側には外向き鉤手６８が形成されている。
そのため、継手部材６０と同仕様の別個の継手部材６０’とを夫々の内周側同士を対面させて（即ち、腹合わせ配位で）向き合わせると、継手部材６０の｛内向き鉤手，外向き鉤手｝と継手部材６０’の｛外向き鉤手，内向き鉤手｝との間に鉤手係合が成立し、鉤手４７，５８同様の鉤手係合を単一仕様の部材の２体で構成できることとなる。
【００４９】
この実施形態（第３形態）の鉄筋用継手部材６０（６０と６０’）について、その使用態様を、図面を引用して説明する。図５（ｃ）は接続状態の側面図である。
【００５０】
継手部材６０（６０と６０’）で鉄筋を接続する場合、継手部材６０を２個用意し、一方を反転させて用いる。すなわち、継手部材６０，６０（６０，６０’）を２本の鉄筋１０の拡径部１２，１２突合わせ部位に装着するとき、継手部材６０，６０を正対状態から少し捻るようにして２個所とも一方の外向き鉤手６８を他方の内向き鉤手６７に鉤合（噛合）係合させ、その係合を維持しながら正対状態に戻して、半筒状部６１，６１を拡径部１２，１２に被せる。
【００５１】
そうすると（図５（ｃ）参照）、向い合わせになった半筒状部６１，６１が拡径部１２，１２及び首部１１，１１を囲いながら筒状になるので、その状態を保ちながら、直線状に連なったボルト挿通孔６６，６６にボルト７１を挿通させて締結する。
それから後の作業や結果は、繰り返しとなるので割愛するが、継手部材４０，５０の場合と同様である。四辺形状の鉄筋構造体を接続する場合も同様である。
【００５２】
本発明の鉄筋用継手部材の他の実施形態（第４形態）について、その構成を、図面を引用して説明する。図６は、（ａ）が鉄筋用継手部材７０の内側の斜視図、（ｂ）が外向きフランジ７５，７５会合部分およびリング７６の斜視図、（ｃ）が外向きフランジ７５，７５結束部分の斜視図である。
【００５３】
この鉄筋用継手部材７０が上述した継手部材６０と相違するのは、ボルト挿通穴６６付きの外向きフランジ６５が穴の不要な外向きフランジ７５になった点である。
外向きフランジ７５は、太さ一定の丸棒を軸線方向に２分割した蒲鉾状に形成されている。このような外向きフランジ７５は、その張出し方向と直交する断面の形状が、ペアの半筒状部６１，６１の各体を相互結合のために向き合わせたときに形成されるペアの該フランジ７５，７５の会合部にリング７６を外嵌して該会合部を結束することのできるものとなっている。リング７６は、例えば金属パイプの切断にて容易かつ安価に作られる。
【００５４】
この場合も、鉄筋１０に拡径部１２を形成し（前記Ａ：予備加工）、それに適合するペア編成の鉄筋用継手部材７０，７０を揃えたら（前記Ｂ：継手部材の用意）、拡径部対１２，１２を継手部材７０，７０の相互結合体で囲うが（前記Ｃ：継手部材装着作業）、この場合は、外向きフランジ７５，７５同士の会合固定に際して、ボルトナット締結ではなく、リング７６を用いてリング外嵌結束を行う。
向かい合わせの外向きフランジ７５，７５を例えばプライヤーで挟んで会合させ、それによって丸棒状になった外向きフランジ７５，７５にリング７６を外嵌することにより、容易にフランジ７５，７５同士を結束することができる。なお、外向きフランジ７５のリング外嵌結束は上述した継手部材２０，３０，４０，５０にも適用可能である。
【００５５】
本発明の鉄筋の接続方法の他の実施形態（第５形態）について、その構成を、図面を引用して説明する。図７は、（ａ）が鉄筋１０，１０の端面同士を向き合わせたところの側面図、（ｂ）が鉄筋用継手部材８０の半筒状部の断面図、（ｃ）がスペーサ８１の平面図、（ｄ）がスペーサ８２の平面図、（ｅ）が鉄筋の接続後長さの調整を例示した表である。
【００５６】
鉄筋用継手部材８０は（図７（ａ），（ｂ）参照）、上述した継手部材２０，３０，４０，５０，６０，７０のうち何れの形態のものでも良いが、２本の被接続鉄筋１０の接続後の長さを調整しうるよう、鉄筋用継手部材８０を構成する半筒状部における両端の内向きカラー相互間の内法間隔Ｌが拡径部厚みλ（即ち鉄筋１０の拡径部１２の軸線方向寸法）を２倍にした寸法にマージンｍを加えた寸法（Ｌ＝２λ＋ｍ）に設定されている。
【００５７】
鉄筋用継手部材８０にはスペーサ８１，８２が併用される（図７（ｃ），（ｄ）参照）。円板形のスペーサ８１（図７（ｃ）参照）は拡径部対１２，１２の間隙（図７（ａ）のｂ位置）に介挿し、弧状のスペーサ８２（図７（ｄ）参照）は鉄筋１０の首部１１に掛けるようにして拡径部１２と鉄筋用継手部材８０の内向きカラーとの間（図７（ａ）のａ，ｃ位置）に介挿するためのものである。なお、スペーサ８１の代わりにスペーサ８２を充てることもできる。
【００５８】
具体例として、マージンｍが６ｍｍでスペーサ８１，８２の厚さが１ｍｍの場合、マージンｍによって生じるガタは６枚のスペーサを介挿することで消去する構成となる。この場合、上記マージンの導入によって接続後鉄筋が増す分だけ、接続に供する鉄筋の長さを減じておく（以下の例では６÷２＝３ｍｍ減）こととなる。
この場合、６枚のスペーサの鉄筋用継手部材８０軸線方向の介挿位置の編成を調整することにより、接続後鉄筋長が１ｍｍ単位で調整される。
【００５９】
すなわち（図７（ｅ）参照）、拡径部１２，１２間のｂ位置への挿入が０枚のときには首部１１のａ又はｃ位置への挿入が６枚で（モード＃１）接続後鉄筋長は基準長（上記マージンを導入しないケースでの本来の接続長さ）より３ｍｍ短くなり、ｂ位置への挿入が１枚のときにはａ又はｃ位置への挿入が５枚で（モード＃２）接続後鉄筋長は基準長より２ｍｍ短くなり、ｂ位置への挿入が２枚のときにはａ又はｃ位置への挿入が４枚で（モード＃３）接続後鉄筋長は基準長より１ｍｍ短くなる。
【００６０】
また、ｂ位置への挿入が３枚のときにはａ又はｃ位置への挿入が３枚で（モード＃４）接続後鉄筋長は基準長に等しくなり、ｂ位置への挿入が４枚のときにはａ又はｃ位置への挿入が２枚で（モード＃５）接続後鉄筋長は基準長より１ｍｍ長くなり、ｂ位置への挿入が５枚のときにはａ又はｃ位置への挿入が１枚で（モード＃６）接続後鉄筋長は基準長より２ｍｍ長くなり、ｂ位置への挿入が６枚のときにはａ又はｃ位置への挿入が０枚で（モード＃７）接続後鉄筋長は基準長より３ｍｍ長くなる。これにより、被接続鉄筋の長さばらつきが１ｍｍ単位で±３ｍｍの範囲まで補償される。
【００６１】
なお、スペーサ８１，８２に、厚さの異なるもの例えば厚さ１ｍｍ，２ｍｍ，３ｍｍの３種類を用意しておき、適宜なものを採択して組み合わせるようにしても良い。
また、スペーサの厚さを１ｍｍより薄くして接続後鉄筋長さの更なる微調整を行うこともできる。
【００６２】
本発明の鉄筋の接続方法の他の実施形態（第６形態）について、その構成を、図面を引用して説明する。なお、この実施形態の説明は、本発明における継手部の寸法諸元ならびにそれらの相互関係や意義に関するものである。
図８は、（ａ）が２本の鉄筋１０を鉄筋用継手部材９０で接続したところの断面図、（ｂ）が鉄筋１０の拡径部１２の外径寸法および鉄筋用継手部材９０の片肉膨出高さＸに関する規制条件等を示す幾つかのグラフである。
【００６３】
鉄筋１０の首部直径をｄ、拡径部１２の片肉膨出高さをｈとし、２ｈ／ｄ≡ｋとすると、拡径倍率は（ｄ＋２ｈ）／ｄ＝１＋ｋである。また、鉄筋用継手部材９０の片肉膨出高さをＸとし、鉄筋用継手部材９０の薄肉部の肉厚をｔとすると、Ｘ＝ｈ＋ｔである（図８（ａ）参照）。ここで、継手部材９０が軸線方向張力によって破断しないためには継手部材９０の強度支配部分すなわち薄肉部の横断面積Ａ＝（π／４）｛（ｄ＋２Ｘ）２−（ｄ＋２Ｘ−２ｔ）２｝＝（π／４）｛（ｄ＋２ｈ＋２ｔ）２−（ｄ＋２ｈ）２｝＝（π／４）［｛（１＋ｋ）ｄ＋２ｔ｝２−｛（１＋ｋ）ｄ｝２］が、鉄筋母材の横断面積Ｓ＝（π／４）ｄ２と同等以上すなわちＡ≧Ｓであることが必要条件となる。ついては、この条件を満すのに必要な薄肉部の最小肉厚ｔＭＩＮを上式群から求めるとｔＭＩＮ＝（１／２）［√｛（ｄ＋２ｈ）２＋ｄ２｝−（ｄ＋２ｈ）］＝（ｄ／２）［√｛（１＋ｋ）２＋１｝−（１＋ｋ）］となる。
【００６４】
これらの条件を踏まえて、横軸にｍｍ単位で鉄筋公称直径（鉄筋直径ｄ）を採り、縦軸の単位にもｍｍを採用して、拡径部片肉膨出高さｈ（実線），継手部材薄肉部厚さｔ（短波線），継手部材片肉膨出高さＸ（長波線），被接続鉄筋に添設配筋されるアバラ筋の常用鉄筋径（１３ｍｍは一点鎖線、１６ｍｍは二点鎖線）のグラフを図示した（図８（ｂ）参照）。なお、実線グラフｈ１は拡径倍率（１＋ｋ）＝１．２のときの拡径部片肉膨出高さｈを示し、実線グラフｈ２は拡径倍率（１＋ｋ）＝１．５とし且つ上限値を８ｍｍに設定したときの拡径部片肉膨出高さｈを示し、短波線グラフｔ１，ｔ２はｈ＝ｈ１，ｈ２のときに必要な継手部材薄肉部厚さｔ（即ち、上記ｔＭＩＮ）を示し、長波線グラフＸ１，Ｘ２は、夫々、ｈ＝ｈ１，ｈ２のときに生じることとなる継手部材片肉膨出高さＸを示している。
【００６５】
これらのグラフより、拡径部１２の外径寸法（ｄ＋２ｈ）については鉄筋母材に対する拡径倍率（１＋ｋ）が１．２〜１．５の範囲にあり且つ鉄筋母材からの拡径部片肉膨出高さｈが８ｍｍ以下に抑えられていれば、拡径部１２に装着される継手部材９０の軸線方向強度を支配する薄肉部の所要肉厚ｔを確保する処置と、その継手部材９０の装着された鉄筋接続部の被接続鉄筋１０からの継手部材片肉膨出高さＸを被接続鉄筋に添設配筋されるアバラ筋の常用鉄筋径（１３ｍｍ又は１６ｍｍ）と同レベル以下に抑えて継手部材９０の装着によるコンクリート所要かぶり厚さの増大が新たに生じないようにして接続に係る派生的なコスト増を避ける処置とが、同時に完遂されることとなる。なお、拡径倍率１＋ｋを１．２以上（即ち、ｈ≧０．１ｄ）とするのは継手部材９０による拡径部対１２，１２の係止（抜け止め）作用を鉄筋１０の直径に応じて確保するためである。
【図面の簡単な説明】
【００６６】
【図１】本発明の一実施形態（第１形態）について、対をなす鉄筋用継手部材の構造とその装着状態を示し、（ａ）が一方の継手部材の斜視図、（ｂ）が他方の継手部材の斜視図、（ｃ）が向い合わせたところの端面図、（ｄ）が接続状態の端面図、（ｅ）が接続状態の側面図である。
【図２】多数使用状態を示し、（ａ）が鉄筋構造体の斜視図、（ｂ）が接続状態の端面図である。
【図３】本発明の他の実施形態（第２形態）について、対をなす鉄筋用継手部材の構造とその装着状態を示し、（ａ）が向い合わせたところの側面図、（ｂ）が平面図、（ｃ）が底面図・端面図、（ｄ）が接続開始時の端面図、（ｅ）が接続途中の端面図、（ｆ）が接続状態の端面図である。
【図４】多数使用時の接続状態の端面図である。
【図５】本発明の他の実施形態（第３形態）について、鉄筋用継手部材の構造を示し、（ａ）が内側の斜視図、（ｂ）が外側の斜視図、（ｃ）が接続状態の側面図である。
【図６】本発明の他の実施形態（第４形態）について、鉄筋用継手部材の構造を示し、（ａ）が内側の斜視図、（ｂ）が外向きフランジ会合部分およびリングの斜視図、（ｃ）が外向きフランジ結束部分の斜視図である。
【図７】本発明の他の実施形態（第５形態）について、鉄筋用継手部材の構造を示し、（ａ）が鉄筋の端面同士を向き合わせたところの側面図、（ｂ）が鉄筋用継手部材の半筒状部の断面図、（ｃ）及び（ｄ）がスペーサの平面図、（ｅ）が鉄筋長の調整条件表である。
【図８】本発明の他の実施形態（第６形態）について、鉄筋用継手部材の構造を示し、（ａ）が接続状態の断面図、（ｂ）が鉄筋の拡径部の外径寸法および鉄筋用継手部材の片肉膨出高さに関する規制条件を示すグラフである。
【符号の説明】
【００６７】
１０…鉄筋（被接続鉄筋）、１１…首部、１２…拡径部、１３…アバラ筋、
２０…鉄筋用継手部材（セグメント）、
２１…半筒状部（継手部材の躯幹部、セグメントの躯幹部）、
２２…内向きカラー（小径中空部）、
２３…薄肉部（大径中空部、内腔膨部、拡径部対収容部、ふところ部分）、
２４…直線状の２辺、２５…外向きフランジ、２６…ボルト挿通孔、
３０…鉄筋用継手部材（セグメント）、
３１…半筒状部（継手部材の躯幹部、セグメントの躯幹部）、
３２…内向きカラー（小径中空部）、
３３…薄肉部（大径中空部、内腔膨部、拡径部対収容部、ふところ部分）、
３４…直線状の２辺、３５…外向きフランジ、３６…ボルト挿通孔、３７…回止溝、
４０…鉄筋用継手部材、４１…半筒状部、４２…内向きカラー、
４３…薄肉部、４４…直線状の２辺、４５…外向きフランジ、
４６…ボルト挿通孔、４７…内向き鉤手、
５０…鉄筋用継手部材、５１…半筒状部、５２…内向きカラー、
５３…薄肉部、５４…直線状の２辺、５５…外向きフランジ、
５６…ボルト挿通孔、５８…外向き鉤手、
６０…鉄筋用継手部材、６１…半筒状部、６２…内向きカラー、
６３…薄肉部、６４…直線状の２辺、６５…外向きフランジ、
６６…ボルト挿通孔、６７…内向き鉤手、６８…外向き鉤手、
７０…鉄筋用継手部材、７５…外向きフランジ、７６…リング、
８０…鉄筋用継手部材、８１，８２…スペーサ、
９０…鉄筋用継手部材
【図１】
2007077590.tif 000003
【図２】
2007077590.tif 000004
【図３】
2007077590.tif 000005
【図４】
2007077590.tif 000006
【図５】
2007077590.tif 000007
【図６】
2007077590.tif 000008
【図７】
2007077590.tif 000009
【図８】
2007077590.tif 000010